(57)【要約】【課題】背部マッサージのマッサージ部材構造を提供する。【解決手段】駆動軸桿と偏心軸桿及び二つのマッサージ部材が備えられ、駆動軸桿の上方に偏心軸桿が枢着され、マッサージ部材の両端にマッサージ部が形成され、そのマッサージ部はプラスチック材からなり、孔が形成され、また、マッサージ部材の中央に枢着孔が設けられ、上記構造により、マッサージ部材の枢着孔が偏心軸桿上に位置し、マッサージ部がプラスチック材からなることと孔の両側が伸度を有することを利用して、マッサージ部が体に抵当してマッサージする時、柔軟に、マッサージの揉み力を印加して、圧縮マッサージにより、過度に揉み圧縮することによる不快適感を解消できる。【選択図】図１
2010035956.tif 000002
【特許請求の範囲】
【請求項１】
駆動軸桿と偏心軸桿及び二つのマッサージ部材が備えられ、
駆動軸桿の上方に、偏心軸桿が枢着され、マッサージ部材の両端に、マッサージ部が形成され、そのマッサージ部は、プラスチック材からなり、孔が形成され、また、マッサージ部材の中央に、枢着孔が設けられる、
ことを特徴とする背部マッサージのマッサージ部材構造。
【請求項２】
駆動軸桿は、モーターであることを特徴とする請求項１に記載の背部マッサージのマッサージ部材構造。
【請求項３】
背部マッサージのマッサージ部材は、マッサージシートの背凭れに設置されることを特徴とする請求項１に記載の背部マッサージのマッサージ部材構造。
【発明の詳細な説明】
【技術分野】
【０００１】
本発明は、背部マッサージのマッサージ部材構造に関し、特に、マッサージ部材のマッサージ部が、プラスチック材からなり、孔を有し、孔の両側が伸度を有し、マッサージ部が、体に抵当してマッサージする時、柔軟に、マッサージの揉み力を印加して、より快適なマッサージ効果が得られるものに関する。
【背景技術】
【０００２】
現代の人は、忙しい仕事環境に、長時間に居て、特に、同一の姿勢を保持するため、体の各部位が筋肉痛になり、また、店で体のマッサージをして貰う時間やお金がないから、一般の人は、自分で、マッサージ器材（例えば、マッサージシート）を購入して、いつでも、マッサージできるようになり、而マッサージシートに内蔵されたマッサージ部材４０は、駆動モーター５０を利用して、偏心軸桿６０が連動され、そして、マッサージ部材４０が連動されて、揉みマッサージや叩き打ちマッサージを行い、従来のマッサージシートに内蔵されたマッサージ部材４０（図８のように）は、そのマッサージ部材４０が、金属からなり、マッサージ部材４０が作動する時、マッサージ部材４０が金属である堅い材質からなるため、体の部分に対して、揉みマッサージを行う時、マッサージ部材４０で、体の部位をマッサージする時、過度に圧縮マッサージにより不快適感が発生し、特に、肥満体の人であれば、容易に、マッサージ部材４０により体のマッサージ部位が圧縮されて疼痛感を感じ、また、持続に作動下、そのマッサージ部材４０の堅い材質により、マッサージを受けるものが、マッサージの快適な感じを得られない欠点がある。
【０００３】
本発明者は、上記欠点を解消するため、慎重に研究し、また、学理を活用して、有効に上記欠点を解消でき、設計が合理である本発明を提案する。
【発明の開示】
【発明が解決しようとする課題】
【０００４】
本発明の目的は、主として、マッサージ部材のマッサージ部は、プラスチック材質からなり、孔が形成され、孔の両側に伸度を有し、マッサージ部が、体に抵当してマッサージする時、柔軟に、マッサージの揉み力を印加して、圧縮マッサージにより過度に揉み圧縮による不快適感を解消でき、マッサージ部により、体の部分をマッサージして快適なマッサージ感じが得られる背部マッサージのマッサージ部材構造を提供する。
【課題を解決するための手段】
【０００５】
本発明によれば、背部マッサージのマッサージ部材構造であり、駆動軸桿と偏心軸桿及び二つのマッサージ部材が備えられ、駆動軸桿の上方に、偏心軸桿が枢着され、マッサージ部材の両端に、マッサージ部が形成され、そのマッサージ部は、プラスチック材からなり、孔が形成され、また、マッサージ部材の中央に、枢着孔が設けられ、上記構造により、マッサージ部材の枢着孔が、偏心軸桿上に位置し、マッサージ部がプラスチック材からなることと孔の両側が伸度を有することを利用して、マッサージ部が体に抵当してマッサージする時、柔軟に、マッサージの揉み力を印加して、圧縮マッサージにより、過度に揉み圧縮することによる不快適感を解消できる。
【０００６】
以下、図面を参照しながら、本発明の特徴や技術内容について、詳しく説明するが、それらの図面等は、参考や説明のためであり、本発明は、それによって制限されることが無い。
【発明を実施するための最良の形態】
【０００７】
図１と２を参照しながら、背部マッサージのマッサージ部材構造であり、駆動軸桿１０と偏心軸桿２０及び二つのマッサージ部材３０が備えられ、駆動軸桿１０が、モーターであり、また、駆動軸桿１０の上方に、偏心軸桿２０が枢着され、マッサージ部材３０の両端に、マッサージ部３１、３１’が形成され、そのマッサージ部３１は、プラスチック材からなり、孔３２が形成され、また、マッサージ部材３０の中央に、枢着孔３３が設けられる。
【０００８】
本発明に係る構造によれば、図３を参照しながら、マッサージ部材３０の枢着孔３３が、偏心軸桿２０上に位置し、マッサージ部３１がプラスチック材からなることと孔３２（図４のように）を有することを利用して、孔３２の両側が外側へ向かう伸度を有し、これにより、マッサージ部３１が、体の部分Ｂ（例えば、首や背部等）に抵当して柔軟に、マッサージの揉み力を印加でき、これにより、圧縮マッサージにより過度に揉み圧縮による疼痛や不快適感を解消できる。
【０００９】
本発明によれば、その背部マッサージのマッサージ部材は、マッサージシートＡの背凭れＡ１の内部空間（図７のように）に実装され、駆動軸桿１０による駆動力を利用して、偏心軸桿２０が連動され、また、偏心軸桿２０の作動により生成した偏心動揺により、マッサージ部材３０が作動し（図５のように）、そのため、マッサージ部材３０のマッサージ部３１により、揉み力が発生され、マッサージ部３１が、体の部分Ｂ（例えば、首や背部等）に抵当し、また、マッサージ部３１がプラスチック材からなることと孔３２が形成されることを利用して、その孔３２の両側が、外へ向かう伸度を有し、そのため、マッサージ部３１が、体の部分Ｂ（例えば、首や背部等）に抵当してマッサージする時、柔軟にマッサージの揉み力を印加でき（図６のように）、圧縮マッサージにより、過度に揉み圧縮することによる不快適感を解消でき、より快適なマッサージ効果が得られる。
【００１０】
上記の具体な実施例の構造によれば、次の利点が得られ、主として、マッサージ部材のマッサージ部は、プラスチック材質からなり、孔が形成され、孔の両側に伸度を有し、マッサージ部が、体に抵当してマッサージする時、柔軟に、マッサージの揉み力を印加して、圧縮マッサージにより過度に揉み圧縮による不快適感を解消でき、マッサージ部により、体の部分をマッサージして快適なマッサージ感じが得られる。
【００１１】
そのため、本発明は、より進歩的かつより実用的で、法に従って特許請求を出願する。
【００１２】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００１３】
【図１】本発明の組立て外観図
【図２】本発明の斜視分解図
【図３】本発明の他の角度からの組立て外観図
【図４】本発明に係るマッサージ部材の一部断面の組立て側面図
【図５】本発明に係るマッサージ部材の正面図
【図６】本発明に係るマッサージ部材の作動する時の伸度の正面図
【図７】本発明をマッサージシートに実施する時の使用状態図
【図８】従来のマッサージ部材の一部断面の組立て側面図
【符号の説明】
【００１４】
本発明
１０    駆動軸桿
２０    偏心軸桿
３０    マッサージ部材
３１    マッサージ部
３１’  マッサージ部
３２    孔
３３    枢着孔
Ａ      マッサージシート
Ａ１    背凭れ
Ｂ      体の部分
従来
４０    マッサージ部材
５０    駆動モーター
６０    偏心軸桿
【図１】
2010035956.tif 000003
【図２】
2010035956.tif 000004
【図３】
2010035956.tif 000005
【図４】
2010035956.tif 000006
【図５】
2010035956.tif 000007
【図６】
2010035956.tif 000008
【図７】
2010035956.tif 000009
【図８】
2010035956.tif 000010